(57)【特許請求の範囲】
【請求項１】
コマセを収納するための空洞を有する釣鐘状の重り本体と、該重り本体に上端が枢支され、前後に揺動自在な杆体と、これら杆体の下端に固定され、該重り本体の下部開口を開閉するための蓋と、該重り本体の中心線を外れて、該蓋の下部に取り付けられた接地部材からなる魚釣り用重り。
【請求項２】
該重り本体の上部に水抜きの孔をあけた請求項１に記載の魚釣りの重り。
【請求項３】
該重り本体の頂部に設けられた孔に、上端が釣りの仕掛けに接続される遊動軸を挿通し、該軸の下端に補助ウエイトを固定した請求項１または２に記載の魚釣りの重り。
【発明の詳細な説明】
【技術分野】
【０００１】
この発明は、主としてカレイ等の海底に棲む魚を釣るのに使用する重りに関する。
【背景技術】
【０００２】
従来、カレイの舟釣りでは、コマセかご（またはネット）を用いた仕掛けが多く用いられている。このような仕掛けでは、コマセかごが潮流を受けて仕掛けが流され易く、それを防ぐために通常より重たい重りが必要になって、竿を持つ腕に大きな負担がかかる。また、コマセかごが重りより上に位置するので、コマセかごから出る旨みが潮流に流されやすく、海底にいる魚に届きにくいという欠点もある。
【０００３】
そこで、コマセかごの代わりに、釣りの重りを釣鐘状に形成し、その内部のくぼみにコマセを収納できるようにしたものが考案されている（特許文献１）。このものでは、重りの底からコマセの旨みが海底に沿って広がっていくので、カレイのような海底に棲む魚を狙うには都合がよい。
【先行技術文献】
【特許文献】
【０００４】
【特許文献１】特開２００３−２３５４１６号公報
【発明の概要】
【発明が解決しようとする課題】
【０００５】
この発明は、魚を誘うために海底にコマセをまとめてに放出し、釣りの成果を上げることを課題とする。
【課題を解決するための手段】
【０００６】
この発明による魚釣り用重りは、コマセを収納するための空洞を有する釣鐘状の重り本体と、該重り本体に上端が枢支され、前後に揺動自在な左右一対の杆体と、該杆体の下端に固定され、該重り本体の下部開口を開閉するための蓋と、該重り本体の中心線を外れて、該蓋の下部に取り付けられた接地部材からなる（請求項１）。このものでは、重りが海に沈んで接地部材が海底に接地すると、中心を外れた上向きの力を受けて、蓋が開き、重りの空洞からコマセの塊が海底に放出される。このコマセに魚が集まり、釣果が上がる。
【０００７】
重りの空洞からコマセが確実に放出されるされるように、該重り本体の上部に、水抜きの孔をあけることが好ましい（請求項２）。また、道糸に接続される軸体を、該重り本体の頂部に設けられた穴に遊動自在に挿通し、該軸体の下端に補助ウエイトを固定する（請求項３）。この構造では、竿を小さく上下したとき、重りの空洞内で補助ウエイトが上下して、コマセを外に押し出すことができ、また、補助ウエイトが重り本体の天井に当たるたびに、コツコツと音が出て、魚を誘う効果もある。
【図面の簡単な説明】
【０００８】
【図１】魚釣り用重りの正面図であり、部分的に断面で示す。
【図２】魚釣り用重りの左側面である。
【図３】海底に到達したときの魚釣り用重りの左側面である。
【図４】海底で蓋が開いた状態の魚釣り用重りの左側面であり、蓋の一部を断面で示す。
【図５】釣りの仕掛けの説明図である。
【発明を実施するための形態】
【０００９】
この魚釣り用重り１は、図１（正面図）および図２（左側面図）に示すように、釣鐘形の本体部１ａと、その下側にある開口２を開閉するための蓋３から構成される。本体部１ａは、肉厚の円筒体５の上端に半球状の頭部６を溶着して成り、内部はコマセを収めるための空洞７を形成している。なお、重り１は、金属、特に鉛など比重の大きなもので作ることが好ましい。
【００１０】
重り本体部１ａの上部中心には孔をあけ、その孔に金属製の鳩目１０を下から（すなわち空洞７から）通し、上に突出した部分１０ａを重り本体部１ａにロウ付けする。この鳩目１０に、鉛製の球状ウエイト１２から上に伸びる遊動軸１１を通し、軸の突出端には、糸を結びつけるためのアイ１１ａを形成する。なお、竿を小さく上げ下げして、重りを上下させたとき、ウエイト１２が鳩目１０に当たって音がよく出るよう、該ウエイトの頂部に、鉛より十分硬い金属、例えばステンレス製の座金９を固定しておく。
【００１１】
重り本体部１ａの両側部に孔１３をあけておき、それらの孔に先端折曲部１５ａを挿入して、左右一対の杆体１５を孔１３の周りに回動自在に支持する。両杆体１５は下部が互いに連結されており、この連結部１５ｂに前記の蓋３がロウ付により固定されている。このように構成されているので、遊動軸１１の上端アイ１１ａを持って重り１を吊り下げたとき、蓋３は重り１の中心軸上に位置して、開口２を塞いだ状態を保つ（図２）。
【００１２】
仕掛けを海に投げ込んで、重り１が海底に接地したとき、蓋３が自動的に開くようにするために、蓋３の下方で、蓋３の中心軸より前に片寄った位置に皿状の接地部材１７を設ける。接地部材１７は杆体連結部１５ｂの上に固定されている。符号１９は補強のために設けた脚である。
なお、重り本体部１ａの後側にはストッパ１６が取り付けてあって、蓋３は、一方向のみに開くようになっている（図３）。また、図４に示すように、蓋が３開くとき、蓋の内面に重り本体部１ａの縁が引っかからないよう、重り本体部１ａの前側下縁を斜めに削り取ってある。削り取った部分を符号２６で示す。
【００１３】
この重り１を使って根魚を狙うには、従来通りテンビンを用いた仕掛け用いることができる。第５図中、符号２０は道糸、符号２１はテンビン、符号２２はハリスである。コマセは、魚や貝のワタ（内臓）、オキアミや赤虫等のミンチを団子状に形成する。これを重りの空洞７の中に詰め込む。このとき、ウエイト１２は、コマセで空洞の奥に押し込むようにする。
【００１４】
仕掛けを海底に投入し、重り１が海底に到達すると、図３に示すように、まず、接地部材１７が着地して海底から上向きの力を受け、この力は重りの中心軸から隔たってているので、蓋３が回動し、開口２が少し開く。さらに重りが降下すると、図４に示すように蓋が大きく開き、重り１の中からコマセ２３が海底に放出される。なお、重り１の頭部には、水抜きの孔２５をあけておくと、これらの孔から重りの空洞７に海水が入るので、コマセが排出されやすい。
【００１５】
次に、竿を小さく上げ下げして、図４に示すように、重りを上下させる。このようなコズキを行うと、補助ウエイト１２が重りの空洞７の中で上下動するので、空洞の中のコマセを確実に外に放出することができる。また、このように錘を上下させると、補助ウエイト１２に取り付けたステンレス製の座金９が、重り１の天井に取り付けてある鳩目１０に当たって、コツコツと音が出るので、魚を誘う効果が高まる。
こうしてコマセが放出されると海底にいる魚は、コマセに気づいて、食べはじめ、やがて針に掛かる。
【符号の説明】
【００１６】
１    重り
２    開口
３    蓋
７    空洞
１１  遊動軸
１２  補助ウエイト
１３  ピン孔
１５  杆体
１７  接地部材
２３  コマセ
２５  水抜き孔
【図１】
0005509229.tif 000002
【図２】
0005509229.tif 000003
【図３】
0005509229.tif 000004
【図４】
0005509229.tif 000005
【図５】
0005509229.tif 000006